(57)【要約】【課題】ドア内部に水が進入しても、ドアロック装置の電動装置、ラチェット機構のカバー内に水が進入するのを防止できるドアロック装置を提供すること。【解決手段】車両本体のストライカに係合するラッチ機構と該ラッチ機構の係合を解除する電動装置が収納された駆動部ケースが後部ドアに設けられたドアロック装置において、駆動部ケース内にラッチ機構の係合を解除するオープンレバーを備え、駆動部ケースは、オープンレバーを車両本体内から解除操作可能にする長穴と、後部ドアが全閉された状態において長穴の上方を覆いかつ長穴の両端部よりも外方に延びた樋状のリブを備え、ラッチ機構は、ベースプレートと上部プレートの間に設けられて駆動部ケースの下部に接続され、駆動部ケースは、ラッチ機構との接続部においてベースプレートと上部プレートを跨ぐように突設されて両端部が上部プレートの外方に延びた樋状の第二リブを有するドアロック装置。【選択図】図１
2014218891.tif 000002
【特許請求の範囲】
【請求項１】
車両本体に対して開閉可能な後部ドアを全閉状態で保持する、上記車両本体と後部ドアの一方に設けたストライカと他方に設けた上記ストライカに係合するラッチ機構と、このラッチ機構と上記ストライカの係合を解除する電動装置を備え、上記電動装置が収納された駆動部ケースと上記ラッチ機構が後部ドアに設けられたドアロック装置において、
上記駆動部ケース内には、揺動して上記ラッチ機構とストライカの係合を解除するオープンレバーが配置されていること、
上記駆動部ケースには、上記オープンレバーを車両本体内から解除操作可能にする長穴と、上記後部ドアが全閉された状態において、上記長穴の上方を覆い、かつ上記長穴の両端部よりも外方に延びた樋状のリブが突設されていること、
上記ラッチ機構は、ベースプレートと上部プレートの間に備えられていて、該ベースプレートと上部プレートは、上記駆動部ケースの下部に接続されていること、
上記駆動部ケースは、上記ベースプレートと上部プレートとの接続部において、該ベースプレートと上部プレートを跨ぐように突設された第二リブを有すること、及び
上記第二リブは、両端部が上記上部プレートの外方に延びていること、
を特徴とするドアロック装置。
【請求項２】
請求項１記載のドアロック装置において、上記後部ドアが閉じられた状態において、上記第二リブは、上記リブの下方に形成された山形形状を呈していて、かつ両端部が上記リブよりも両横方向に長く形成されているドアロック装置。
【発明の詳細な説明】
【技術分野】
【０００１】
本発明は、車両に設けたドアを施解錠するドアロック装置に関する。
【背景技術】
【０００２】
車両のドアロック装置には、ドアを閉成位置においてロックし、そのロックを、モータなどの駆動源を備えた電動装置によって解除するものがある。この種のドアロック装置では、ドア閉成時に、車両本体側のストライカと係合するフックが電動駆動機構によってストライカ保持位置（ストライカ引込方向）へ回動されると、ラッチ（ポール）がフックに係合して、ストライカ解放方向へのフックの回動が規制されてロック状態となる。ドアを開くときは、電動駆動機構あるいは手動の操作系によってラッチをフックとの係合解除（アンラッチ）方向へ回動させると、ストライカ解放方向に回動付勢されたフックが回動してストライカとの係合を解除し、ドアを開くことが可能となる。
【先行技術文献】
【特許文献】
【０００３】
【特許文献１】特開２００３-９７１２５号公報
【特許文献２】特開２００６-２００２５２号公報
【発明の概要】
【発明が解決しようとする課題】
【０００４】
以上のようなドアロック装置では、ドア内に収容されたドアロック装置の上方、例えば、ドアロック解除レバー、ウインドウのモールドの隙間等から雨水、洗車用の水が浸入することがある。そうして浸入した水は、ドアロック装置のカバー表面を伝わって、車内からロック解除する解除レバーの開口からドアロック装置内に浸入する場合や、ドアロック装置を後部ドアフレームに固定するための金属製ベースプレートに滴下することがあった。
しかし従来の後部ドアのドアロック装置は、ドア内部に水が浸入することを想定していなかったため、ドア内部に浸入した水が、ドアロックカバーの穴からドアロックケース内に浸入して電機部品を漏電させるおそれや、ベースプレートに接触して錆の発生を促進するおそれがあった。
【０００５】
本発明は、以上の問題点に鑑みてなされたものであり、ドア内部に水が進入しても、ドアロック装置の電動装置、ラチェット機構のカバー内に水が進入するのを防止できるドアロック装置を提供することを目的とする。
【課題を解決するための手段】
【０００６】
本発明のドアロック装置は、車両本体に対して開閉可能な後部ドアを全閉状態で保持する、上記車両本体と後部ドアの一方に設けたストライカと他方に設けた上記ストライカに係合するラッチ機構と、このラッチ機構と上記ストライカの係合を解除する電動装置を備え、上記電動装置が収納された駆動部ケースと上記ラッチ機構が後部ドアに設けられたドアロック装置において、上記駆動部ケース内には、揺動して上記ラッチ機構とストライカの係合を解除するオープンレバーが配置されていること、上記駆動部ケースには、上記オープンレバーを車両本体内から解除操作可能にする長穴と、上記後部ドアが全閉された状態において、上記長穴の上方を覆い、かつ上記長穴の両端部よりも外方に延びた樋状のリブが突設されていること、上記ラッチ機構は、ベースプレートと上部プレートの間に備えられていて、該ベースプレートと上部プレートは、上記駆動部ケースの下部に接続されていること、上記駆動部ケースは、上記ベースプレートと上部プレートとの接続部において、該ベースプレートと上部プレートを跨ぐように突設された第二リブを有すること、及び上記第二リブは、両端部が上記上部プレートの外方に延びていること、を特徴としている。
【０００７】
上記後部ドアが閉じられた状態において、上記第二リブは、上記リブの下方に形成された山形形状を呈していて、かつ両端部（裾野部）が上記リブよりも両横方向に長く形成されている。
【発明の効果】
【０００８】
本発明によれば、手動ロック解除を可能にするために駆動部ケースに形成した長穴が樋状のリブで覆われ、駆動部ケースの下部にはラッチ機構を収納したベースプレートと上部プレートが接続され、その接続部が駆動部ケースに形成した第二リブにより覆われているので、ドア内部に水が進入しても、駆動部ケースの長穴やベースプレートと上部プレートとの接続部から駆動部ケース及びラッチ機構内に浸水することが無い。
【図面の簡単な説明】
【０００９】
【図１】本発明を適用したドアロック装置の実施形態の斜視図である。
【図２】同ドアロック装置の電動装置の分解斜視図である。
【図３】同ドアロック装置のラッチ機構の分解斜視図である。
【図４】同ドアロック装置のフックを単体で示した正面図である。
【図５】同ドアロック装置のラチェットレバーを単体で示した正面図である。
【図６】同ドアロック装置の中間フレームを単体で示した正面図である。
【図７】同ドアロック装置のクッションゴムを単体で示した正面図である。
【図８】同ドアロック装置の電動装置をカバーを外して示した斜視図である。
【図９】同ドアロック装置のラッチ機構のロック状態を上部プレートを外して示した斜視図である。
【図１０】同ドアロック装置のラッチ機構のロック解除動作状態を上部プレートを外して示した斜視図である。
【図１１】同ドアロック装置のラッチ機構のアンロック状態を上部プレートを外して示した斜視図である。
【図１２】同ドアロック装置を自動車の後部ドアに搭載した様子を示す側面図である。
【発明を実施するための形態】
【００１０】
図示実施形態に基づき、本発明のドアロック装置を説明する。図に示すドアロック（ドアクロージャー）装置１０は、後部ドア１１０側（アウタパネル１１１とインナパネル１１２の間）に取り付けられており、後部ドア１１０を開閉可能に支持する車両本体１００側（フレーム１０１）には、ドアロック装置１０に対して係脱するストライカＳ（図９、図１２）が設けられている。なお、ドアロック装置１０とストライカＳの位置関係は、これと逆にすることも可能である。なお、図１２において、符号１１３は、車両外からドアロック装置１０をアンロック動作させるためのスイッチ、符号１１４はドアロック装置１０と車両本体１００側に搭載された制御装置とを接続するケーブルである。
【００１１】
図１、図２に示すように、ドアロック装置１０は、ストライカＳに係合するラッチ機構１０Ｒと、このラッチ機構１０ＲとストライカＳの係合を解除駆動する電動装置１０Ｐとを備えている。
【００１２】
「ラッチ機構１０Ｒ」
ラッチ機構１０Ｒは、後部ドアに対して固定的に取り付けられるベースプレート１１と、ベースプレート１１に対して中間フレーム２１を挟んで固定されるともに、電動装置１０Ｐに連結固定するための上部プレート３１を備えている。この実施形態では、ベースプレート１１及び上部プレート３１は金属で形成されていて、中間フレーム２１は合成樹脂で形成されている。
【００１３】
ベースプレート１１には、ストライカＳが進入可能なストライカ進入溝１１ａが形成され、ストライカ進入溝１１ａを挟んで位置する軸穴１１ｂ、１１ｃに対して、軸ピン１２と軸ピン１３が挿通されている。軸ピン１２は、フック１４に形成した軸穴１４ａ（図４）に挿通され、フック１４は、軸ピン１２を中心として回動可能に支持されている。軸ピン１３はラチェットレバー１５に形成した軸穴１５ａに挿通され、ラチェットレバー１５は、軸ピン１３を中心して回動可能に支持されている。
【００１４】
図２、図３に示すように、フック１４は、軸穴１４ａを中心とする略半径方向に向けて形成されたストライカ保持溝１４ｂを備えている。このストライカ保持溝１４ｂは、一対の第１脚部１４ｃと第２脚部１４ｄの間に形成されている。第２脚部１４ｄの先端部付近には、ストライカ保持溝１４ｂに臨む側にラチェットレバー係合段部（係合部）１４ｅが形成されている。第１脚部１４ｃのストライカ保持溝１４ｂを規制するとともに、開放された後ドアを閉じる際にストライカＳが衝突する面に、ストライカＳが衝撃した際に撓んで衝撃を緩衝する緩衝アーチ部１４ｇが形成されている。
【００１５】
フック１４は、図９に示すロック位置（ストライカ保持位置）と図１０、図１１に示すロック解除位置（ストライカ解除位置）の間で回動可能であり、トーションばね１６によって、ロック解除位置（ストライカ解除位置）（図９ないし図１１における反時計方向）に向けて回動付勢されている。トーションばね１６は、軸ピン１２を囲むコイル部と、フック１４のばね掛け突起１４ｈ及び中間フレーム２１に係合（当接）する端部からなる一対のばね端部を備えている。
【００１６】
図５に示すように、ラチェットレバー１５は、軸穴１５ａを中心として揺動自在に形成され、先端面がラチェットレバー係合段部１４ｅに係合してフック１４のストライカ解除位置方向の回転を規制してストライカ保持位置（ロック状態）に保持するフック係合突起１５ｂと、側面がオープンレバー４５の解除突部４５ｄに押圧されてラチェットレバー係合段部１４ｅとの係合を解除する方向に回動付勢されるオープン突起１５ｃを備えている。
【００１７】
ラチェットレバー１５は、軸穴１５ａが軸ピン１３に揺動自在に嵌合され、軸穴１５ａの軸心を中心としてフック係合突起１５ｂを該フック１４のラチェットレバー係合段部１４ｅの移動軌跡上に位置させる（ラチェットレバー係合段部１４ｅと係合可能な）ラッチ位置（図９）と、フック係合突起１５ｂをラチェットレバー係合段部１４ｅの移動軌跡上から退避させる（ラチェットレバー係合段部１４ｅと係合しない）アンラッチ位置（図１０、図１１）の間で回動可能に形成され、トーションばね（ラッチ付勢手段）１７によって、アンラッチ位置からラッチ位置方向（図９ないし図１１における時計方向）に回動付勢されている。トーションばね１７は、軸ピン１３を囲むコイル部と、ラチェットレバー１５のばね掛け突起１５ｄ及び中間フレーム２１に係合（当接）する一対のばね端部を備えている。
【００１８】
中間フレーム２１には、ストライカＳが進入可能な、ベースプレート１１のストライカ進入溝１１ａに対応するストライカ進入溝２１ａが形成され、軸穴１１ｂ、１１ｃと対向する位置に軸穴２１ｂ、２１ｃが形成されていて、これらの軸穴２１ｂ、２１ｃに軸ピン１２、１３が挿通される。この中間フレーム２１には、ベースプレート１１との間に、フック１４及びラチェットレバー１５を回動自在に収容する空間が形成されている。
【００１９】
この中間フレーム２１には、フック１４のばね掛け突起１４ｈが挿通され、フック１４の揺動を許容するとともに回動範囲を規制する円弧穴２１ｄと、ラチェットレバー１５のばね掛け突起１５ｄが挿通され、ラチェットレバー１５の揺動を許容するとともに回動範囲を規制する円弧穴２１ｅが形成されている。
【００２０】
中間フレーム２１のストライカ進入溝２１ａを規制する一方の側壁は、ストライカ進入口側から奥方向に延びる板ばね部２１ｆによって規制されている。この板ばね部２１ｆはストライカ進入溝２１ａの幅を狭める方向に撓んでいて、ストライカ進入溝２１ａにストライカＳが進入したときには、ストライカＳが摺接してストライカＳをストライカ進入溝２１ａの他方の側壁との間で挟圧する。
【００２１】
ストライカ進入溝２１ａの最深部には、ストライカＳの進入離脱方向と直交する横方向に広がるクッション収納凹部２１ｇが形成されている。このクッション収納凹部２１ｇには、ストライカ進入溝２１ａに進入して来たストライカＳに当接して衝撃を吸収するクッションゴム２３（図６）が挿入される。クッションゴム２３は、クッション収納凹部２１ｇに嵌合される第１クッション部２３ａと、第１クッション部２３ａからストライカ進入溝２１ａ内に延びて、先端部がストライカＳの当たり面となる第２クッション部２３ｂと、第１クッション部２３ａから、板ばね部２１ｆの撓みを許容する、ストライカ進入溝２１ａとは反対側に設けられた遊び空間２１ｈ内に延びた第３クッション部２３ｃと、中間フレーム２１に形成されたクッションゴム係合穴２１ｉに係合されるフック部２３ｄを有する。
【００２２】
トーションばね１６、１７は、中間フレーム２１と上部プレート３１との空間内に配置されている。トーションばね１６の一方の端部はフック１４のばね掛け突起１４ｈに係合され、他方の端部が中間フレーム２１の内壁に当接して、フック１４をアンロック方向に回動付勢している。トーションばね１７の一方の端部はラチェットレバー１５のばね掛け突起１５ｄに係合し、他方の端部が中間フレーム２１の内壁に係合して、ラチェットレバー１５をアンラッチ方向に回動付勢している。
【００２３】
中間フレーム２１の上部には、上記クッションゴム２３、トーションばね１６、１７を覆うように上部プレート３１が固定される。この上部プレート３１にも、ベースプレート１１、中間フレーム２１のストライカ進入溝１１ａ、２１ａと同様のストライカ進入溝３１ａが形成されていて、さらにベースプレート１１の軸穴１１ｂ、１１ｃ、中間フレーム２１の軸穴２１ｂ、１１ｃを挿通された軸ピン１２、１３の先端部が嵌合する軸穴３１ｂ、３１ｃが形成されている（図１、図２）。これらの軸穴３１ｂ、３１ｃに、軸穴１１ｂ、２１ｂ、軸穴１１ｃ、２１ｃを貫通した軸ピン１２、１３の先端が挿入されて、潰し、カシメ加工等により固定される。
【００２４】
さらに上部プレート３１には、電動装置１０Ｐと連結するための屈曲突片３１ｄ及び屈曲突片３１ｄにねじ挿通穴３１ｅが形成されている。このねじ挿通穴３１ｅを貫通し、さらにカバー５１の挿通穴５１ａを貫通して、ケース４１のボス４１ａに形成されたネジ穴にねじ込まれたねじ３３によって、上部プレート３１がケース４１、カバー５１に固定される。なお、屈曲突片３１ｄは、カバー５１に形成された連結溝５１ｂ内に挿入固定される。ケース４１及びカバー５１は、駆動部ケースを構成し、通常、合成樹脂で形成される。
【００２５】
「電動装置１０Ｐ」
電動装置１０Ｐは、構造体としてのケース４１内に、電動部材としてのモータ４２が収納固定されている。モータ４２の軸にはウォーム４２ａが装着されている。このウォーム４２ａは、ウォームホイール４３に噛み合っている。ウォームホイール４３は、回転軸４３ａがケース４１に形成された軸穴４１ｂに回動自在に挿入されている。回転軸４３ａはウォームホイール４３の両面から延びている。このウォームホイール４３の表側には、偏芯カム４３ｂが突設されている。この偏心カム４３ｂの外周面に、オープンレバー４５の先端部に形成されたカム摺接端部４５ｂが摺接する。
【００２６】
ケース４１内には、ウォームホイール４３よりもラッチ機構１０Ｒとの連結部側の中央付近にボス４１ｄが突設されている。このボス４１ｄに、オープンレバー４５の軸穴４５ａが嵌合され、オープンレバー４５が揺動自在に軸支される。オープンレバー４５の一方の先端部には、偏心カム４３ｂに摺接するカム接触端部４５ｂと、車両内からオープンレバー４５を操作するための手動操作屈曲片４５ｃが形成されている。オープンレバー４５の他方の端部には、ラチェットレバー１５のオープン突起１５ｃに当接し、ラチェットレバー１５をストライカ解除方向に回動させる解除突部４５ｄが形成されている。このオープンレバー４５は、オープン突起１５ｃがラチェットレバー１５をストライカ解除方向に回動させるようにトーションばね４６によって回動付勢されている。トーションばね４６はボス４１ｃを囲むコイル部と、オープンレバー４５及びケース４１に係合する端部からなる一対のばね端部を備えている。
【００２７】
さらにケース４１内には、後部ドアのカーテシスイッチを構成する、第１、第２カーテシスイッチ接片４７、４８を備えている。第１カーテシスイッチ接片４７は、ばね部４７ｂの端部４７ａがフック１４の検知部１４ｆに接触可能な位置まで延びている。第１カーテシスイッチ接片４７の端部４７ａは、フック１４がストライカ保持位置にあるときは検知部１４ｆによって押圧され、ばね部４７ｂが撓んで、ばね部４７ｂが第２カーテシスイッチ接片４８の接点４８ａから離反するように形成されている。そうして、フック１４がストライカ保持位置からストライカ解放位置方向に回転すると、端部４７ａが検知部１４ｆを押しながらフック１４の回転に従ってばね部４７ｂが復元方向に戻り、ばね部４７ｂが第２カーテシスイッチ接片４８の接点４８ａに接触し、ストライカ解放位置では接触状態を維持している。一方、フック１４がストライカ解放位置からストライカ保持位置方向に回転すると、第１カーテシスイッチ接片４７は端部４７ａが検知部１４ｆに押圧され、ばね部４７ｂが撓んで、途中でばね部４７ｂが接点４８ａから離反し、ストライカ保持位置では完全に離反している。これらの第１、第２カーテシスイッチ接片４７、４８は、図示しない後部ドア開放検知回路に接続されていて、第１、第２カーテシスイッチ接片４７、４８の接離によって、後部ドア（フック１４）のオープンが検知される。なお、図１、２、７において、符号４１ｉは、電動装置１０Ｐと車両に搭載された制御ユニットとを接続するコネクタである。
【００２８】
このケース４１には、カバー５１がはめ込み固定される。そのカバー５１には、上部プレート３１とケース４１をねじ３３によって固定するための穴５１ａと、上部プレート３１の屈曲突片３１ｄが嵌る連結溝５１ｂと、オープンレバー４５の手動操作屈曲片４５ｃが突出し、オープンレバー４５のラッチ、アンラッチ方向の回動を許容する円弧状長穴５１ｃが形成されている。穴５１ａは、連結溝５１ｂの略中央位置であって、カバー５１をケースにはめ込んだときに、軸穴４１ｂと合致する位置に形成されている。
【００２９】
なお、ケース４１の外周壁４１ｅには複数箇所に係合穴４１ｈが形成され、カバー５１のはめ込み壁５１ｇには係合穴４１ｈと対応する位置にはめ込み突起５１ｈが突設されている。ケース４１とカバー５１は、これらの係合穴４１ｈ及びはめ込み突起５１ｈとの係合によって密着状態で嵌合される。
【００３０】
さらにこのカバー５１には、円弧状長穴５１ｃの上方を覆うように、樋状または庇状のリブ５１ｄが形成され、連結溝５１ｂの上方を覆うように、第二リブとして樋状または庇状のリブ５１ｅが形成されている。リブ５１ｅは、正面山形形状を呈していて、後部ドアが閉じられた状態において、その両端部（両裾野部）がリブ５１ｄの両端部よりも外方に長く形成されている。このロック装置１０が装着された後部ドアが完全に閉じたれた状態において、円弧状長穴５１ｃを覆うリブ５１ｄは、水がカバー５１の表面を伝わって流れてきても、水がリブ５１ｄとカバー５１との境界部に集まり、この境界部に沿って下方に流れて、円弧状長穴５１ｃの端部よりも外方から滴下するように形成されている。さらに下方の第二リブ５１ｅは、上方のリブ５１ｄに導かれて滴下した水や、リブ５１ｄ外からケース４１の表面を伝わって流れてきた水を受けて、上部プレート３１の外方まで導いて、ラッチ機構１０Ｒの外方に滴下させるように形成されている。
【００３１】
以上のように本実施形態のドアロック装置は、カバー５１の表面に樋状または庇状のリブ５１ｄ、５１ｅを設けたので、ドア内に水が浸入し、カバー５１表面に滴下しても、円弧状長穴５１ｃから電動装置１０Ｐ内への浸入、及びラッチ機構１０Ｒ内への浸入をリブ５１ｄ、５１ｅが防ぐので、錆の発生、漏電、可動部の動作不良を防止できる。
リブ５１ｄ、５１ｅのカバー５１からの突出量、形状は、カバー５１の形状、円弧状長穴５１ｃの位置、形状、さらにドアロック装置１０が装着される後部ドアの形状等に応じて設定される。
【００３２】
次に、このロック装置１０の動作を図８乃至図１１を参照して説明する。図８は電動装置１０Ｐをカバー５１を取り除いて、ロック状態を示す正面図、図９乃至図１１はラッチ機構１０Ｒを上部プレート３１を取り除いて、図９はロック状態、図１０はロック解除動作（オープンレバー作動）状態、図１１はアンロック状態を示す正面図である。
【００３３】
図８、図９に示したロック状態では、ストライカＳを、フック１４のストライカ進入溝１４ｂの第１脚部１４ｃ側の側面と第２クッション部２３ｂとの間に、第２クッション部２３ｂ（及び第１クッション部２３ａ）を圧縮した状態で保持している。このフック１４は、ラチェットレバー係合段部１４ｅにラチェットレバー１５のフック係合突起１５ｂが係合して、フック１４がストライカ解放方向に回動するのを阻止されている。
第１カーテシスイッチ接片４７は、端部４７ａが検知部１４ｆに押されてばね部４７ｂが撓み、第２カーテシスイッチ接片４８の接点４８ａから離反している。
【００３４】
このロック状態から、モータ４２がロック解除方向に回動すると、ウォームホイール４３が図８の時計方向に回動して、オープンレバー４５のカム接触端部４５ｂが偏心カム４３ｂによって押され、時計方向に回動する。したがって、オープンレバー４５の解除突部４５ｄがラチェットレバー１５のオープン突起１５ｃをオープン（アンラッチ、反時計方向）に押圧してラチェットレバー１５をオープン方向に回動させる。ラチェットレバー１５がオープン方向に回動すると、ラチェットレバー１５のフック係合突起１５ｂがフック１４のラチェットレバー係合段部１４ｅから外れてフック１４を自由状態(アンラッチ）にする。すると、ストライカＳは、第１、第２クッション部２３ａ、２３ｂによって弾性的にオープン方向に付勢されていて、フック１４はトーションばね１６によってロック（ラッチ）解除方向に回動付勢されているで、フック１４がオープン方向に回動して、ストライカＳがストライカ保持溝１４ｂから抜け出る（図１０参照）。これによりロック装置１０はロック解除状態となり、後部ドアは自由に開放可能になる。
【００３５】
モータ４２はさらにロック解除方向に回動して、ウォームホイール４３が１回転したときに停止する。ウォームホイール４３が１回転すると、オープンレバー４５はロック状態と同一の位置に戻る（図１１）。しかし、フック１４はオープン位置まで回転して停止しているので、ラチェットレバー１５は、トーションばね１７の回動付勢力によってロック方向に回動し、フック係合突起１５ｂがフック１４の第２脚部１４ｄの外周面に当接して停止した、アンロック状態になっている。また、このアンロック状態では、フック１４が第１カーテシスイッチ接片４７の端部４７ａから離反しているので、ばね部４７ｂは第２カーテシスイッチ接片４８の接点４８ａに接触している。
【００３６】
このアンロック状態で後部ドアが閉じられると、ストライカＳは、まずフック１４の緩衝アーチ部１４ｇに衝突し、フック１４をロック方向に回動させながら、ストライカ保持溝１４ｂに進入し、ストライカ進入溝２１ａに沿って進む。フック１４はロック方向に、第２脚部１４ｄの外周面がラチェットレバー１５のフック係合突起１５ｂと摺接しながらロック回動する。
【００３７】
ストライカＳが第２クッション部２３ｂに衝突し、第２クッション部２３ｂ、第１クッション部２３ａを圧縮するまで進むと、ラチェットレバー１５のフック係合突起１５ｂがフック１４のラチェットレバー係合段部１４ｅに係合する位置まで回動する。一方、ストライカＳは第２クッション部２３ｂに衝突して停止し、第１、第２クッション部２３ａ、２３ｂの弾性復元力によってストライカ進入溝２１ａから出る方向に押されるが、フック１４はラチェットレバー係合段部１４ｅがラチェットレバー１５のフック係合突起１５ｂに係合してロック解除方向の回転が阻止されているので、ストライカＳはその位置に保持される。つまり、図９のロック状態となる。
【００３８】
また、このロック状態において、第１カーテシスイッチ接片４７は、端部４７ａが検知部１４ｆに押されてばね部４７ｂが撓み、第２カーテシスイッチ接片４８の接点４８ａから離反している。
【００３９】
以上、図示実施形態に基づき本発明を説明したが、本発明はこれらの実施形態に限定されるものではない。例えば、図示実施形態はいわゆるミニバンの後部ドアロック装置に適用したものであるが、本発明はミニバン以外の車種、後部ドア以外のドアにも適用が可能である。
【符号の説明】
【００４０】
Ｓ  ストライカ
１０  ドアロック装置
１０Ｐ  電動装置
１０Ｒ  ラッチ機構
１１  ベースプレート
１１ａ  ストライカ進入溝
１１ｂ  １１ｃ  軸穴
１２  １３  軸ピン
１４  フック
１４ａ  軸穴
１４ｂ  ストライカ保持溝
１４ｃ  第１脚部
１４ｄ  第２脚部
１４ｅ  ラチェットレバー係合段部
１４ｆ  検知部
１４ｇ  緩衝アーチ部
１４ｈ  ばね掛け突起
１５ラ  チェットレバー
１５  ａ軸穴
１５ｂ  フック係合突起
１５ｃ  オープン突起
１６  １７  トーションばね
２１  中間フレーム
２１ａ  ストライカ進入溝
２１ｂ  ２１ｃ  軸穴
２１ｄ  ２１ｅ  円弧穴
２１ｆ  板ばね部
２１ｇ  クッション収納凹部
２１ｈ  遊び空間
２１ｉ  クッションゴム係合穴
２３  クッションゴム
２３ａ  第１クッション部
２３ｂ  第２クッション部
２３ｃ  第３クッション部
３１  上部プレート
３１ａ  ストライカ進入溝
３１ｂ  ３１ｃ  軸穴
３１ｄ  屈曲突片
３３  ねじ
４１  ケース
４１ａ  ボス
４１ｂ  軸穴
４１ｃ  ４１ｄ  ボス
４１ｅ  外周壁
４１ｈ  係合穴
４２  モータ
４２ａ  ウォーム
４３  ウォームホイール
４３ａ  回転軸
４３ｂ  偏芯カム
４５  オープンレバー
４５ａ  軸穴
４５ｂ  カム摺接端部
４５ｃ  手動操作屈曲片
４５ｄ  解除突部
４６  トーションばね
４７  第１カーテシスイッチ接片
４７ａ  端部
４７ｂ  ばね部
４８  第２カーテシスイッチ接片
４８ａ  接点
５１  カバー
５１ａ  穴
５１ｂ  連結溝
５１ｃ  円弧状長穴
５１ｄ  リブ
５１ｅ  リブ（第二リブ）
５１ｇ  はめ込み壁
５１ｈ  突起
【図１】
2014218891.tif 000003
【図２】
2014218891.tif 000004
【図３】
2014218891.tif 000005
【図４】
2014218891.tif 000006
【図５】
2014218891.tif 000007
【図６】
2014218891.tif 000008
【図７】
2014218891.tif 000009
【図８】
2014218891.tif 000010
【図９】
2014218891.tif 000011
【図１０】
2014218891.tif 000012
【図１１】
2014218891.tif 000013
【図１２】
2014218891.tif 000014